(57)【要約】【課題】台座とバンド取付部材とを、現場で簡単に連結、固定することができるパイプ抱持バンド取付具を提供する。【解決手段】パイプ抱持バンド取付具１は、壁面５に固定される台座１０と、台座１０に固定されるバンド取付部材２０とを備えている。バンド取付部材２０は、後部に、台座１０と連結するための取付基部２２を備えており、台座１０は、取付基部２２が挿入される上部開口１３と、上部開口１３より挿入された取付基部２２と係合して、取付基部２２を固定する連結部１６とを備えている。【選択図】図１
2020016112.tif 000002
【特許請求の範囲】
【請求項１】
壁面に固定される台座と、該台座に固定されるバンド取付部材とを備えたパイプ抱持バンド取付具であって、
前記バンド取付部材は、後部に、前記台座と連結するための取付基部を備えており、
前記台座は、前記取付基部が挿入される上部開口と、該上部開口より挿入された前記取付基部と係合して、前記取付基部を固定する連結部とを備えていることを特徴とするパイプ抱持バンド取付具。
【請求項２】
請求項１において、
前記上方開口と前記連結部との間に、前記取付基部を着脱するための上下方向に延びるスライド路が形成されていることを特徴とするパイプ抱持バンド取付具。
【請求項３】
請求項１または２において、
前記台座は、前記取付基部を位置決めする位置決め部を備えていることを特徴とするパイプ抱持バンド取付具。
【請求項４】
請求項１〜３のいずれか１項において、
前記取付基部は前記連結部を挟着して固定する挟着構造を有していることを特徴とするパイプ抱持バンド取付具。
【請求項５】
請求項４において、
前記取付基部は、前記壁面に略平行になるように配される基部片と、該基部片に略平行で、かつ前方に配されている挟着片とを備え、前記基部片が前記上部開口より挿入される構成とされており、
前記連結部は、前記取付部の一部を後方に切り起こし加工されてなる折曲部を備え、該折曲部が前記基部片と前記挟着片との間に挟着されることを特徴とするパイプ抱持バンド取付具。
【発明の詳細な説明】
【技術分野】
【０００１】
本発明は、壁面の上下方向に固定される固定部間に取付部を備えた台座と、取付部に固定される基部片を有したバンド取付部材とを備えたパイプ抱持バンド取付具に関する。
【背景技術】
【０００２】
従来のパイプ抱持バンド取付具には、建築構造物の基礎壁に取り付けた、０．３〜０．５ｍｍ程度の薄厚のスパンドレル（金属外装材）の表面に取り付けできるようにしたものがある（たとえば、特許文献１、２参照）。この種の金属外装材は凹凸形状とされ、外壁の外面には上下方向に延びる凸部と溝部とが横方向に交互に表れている。
【０００３】
これらの文献のものは、金属外装材の溝部を介して基礎壁に取り付ける台座と、パイプ抱持バンドを取り付けるバンド取付部材とが別体となっている。溝部の幅寸法に合わせて種々の幅寸法の台座を用意し、またパイプの出具合におうじて種々の突出長さ寸法のバンド取付部材を用意すれば、それらを種々組み合わせることで、さまざまな設置態様が可能となる。よって、現場でバンド取付部材のみを取り替えることも容易である。
【先行技術文献】
【特許文献】
【０００４】
【特許文献１】特開２０１６−１７６２５３号公報
【特許文献２】特開２０１０−１９６３２３号公報
【発明の概要】
【発明が解決しようとする課題】
【０００５】
しかしながら、台座とバンド取付部材とを別体にしたものでは、特許文献１、２に示すように、現場でそれらをボルト、ナットなどの固定具により連結、固定しなければならず、作業が面倒となるおそれがある。なお、引用文献１のものは固定具を用いない代わりに、一方にボルト部、他方にナット部が形成されているため、現場での螺合作業が発生する。
【０００６】
また、バンド取付部材には長孔などを有した板状のバンド取付部が設けてあり、パイプ抱持バンドを正しく取り付けるためには、バンド取付部の板面（長孔）を略水平方向に向けなければならない。よって、そのために現場では、ボルト、ナットによる螺合による調整が必要とされる。
【０００７】
本発明は、このような事情を考慮して提案されたもので、その目的は、台座とバンド取付部材とを、現場で簡単に連結、固定することができるパイプ抱持バンド取付具を提供することにある。
【課題を解決するための手段】
【０００８】
上記目的を達成するために、請求項１に記載のパイプ抱持バンド取付具は、壁面に固定される台座と、該台座に固定されるバンド取付部材とを備えたパイプ抱持バンド取付具であって、前記バンド取付部材は、後部に、前記台座と連結するための取付基部を備えており、前記台座は、前記取付基部が挿入される上部開口と、該上部開口より挿入された前記取付基部と係合して、前記取付基部を固定する連結部とを備えていることを特徴とする。
【０００９】
請求項２に記載のパイプ抱持バンド取付具は、前記上方開口と前記連結部との間に、前記取付基部を着脱するための上下方向に延びるスライド路が形成されていることを特徴とする。
【００１０】
請求項３に記載のパイプ抱持バンド取付具は、前記台座が前記取付基部を位置決めする位置決め部を備えていることを特徴とする。
【００１１】
請求項４に記載のパイプ抱持バンド取付具は、前記取付基部は前記連結部を挟着して固定する挟着構造を有していることを特徴とする。
【００１２】
請求項５に記載のパイプ抱持バンド取付具は、前記取付基部が、前記壁面に略平行になるように配される基部片と、該基部片に略平行に、かつ前方に配された挟着片とを備え、前記基部片が前記上部開口より挿入される構成とされており、前記連結部が、前記取付部の一部を後方に切り起こし加工されてなる折曲部を備え、該折曲部が前記基部片と前記挟着片との間に挟着されることを特徴とする。
【発明の効果】
【００１３】
請求項１に記載のパイプ抱持バンド取付具は上述した構成とされているため、台座とバンド取付部材とを、現場で簡単に連結、固定することができる。
【００１４】
請求項２に記載のパイプ抱持バンド取付具は上述した構成とされているため、バンド取付部材を下方に移動しながらスムーズに台座に取り付けることができる。
【００１５】
請求項３に記載のパイプ抱持バンド取付具は上述した構成とされているため、バンド取付部材の固定位置を確定することができる。
【００１６】
請求項４に記載のパイプ抱持バンド取付具は上述した構成とされているため、バンド取付具と台座とをしっかりと相互固定させることができる。
【００１７】
請求項５に記載のパイプ抱持バンド取付具は上述した構成とされているため、バンド取付具も台座もより簡易な構造とすることができる。
【図面の簡単な説明】
【００１８】
【図１】本発明の一実施形態に係るパイプ抱持バンド取付具の一例を示す分解斜視図である。
【図２】（ａ）は同パイプ抱持バンド取付具の台座の部分平面図、（ｂ）は同台座の展開図である。
【図３】図２（ａ）のＡ−Ａ線に対応した台座の断面図である。
【図４】同実施形態に係るパイプ抱持バンド取付具の他例の説明図であり、（ａ）は展開図、（ｂ）は（ａ）のＢ−Ｂ線に対応した断面図である。
【図５】同パイプ抱持バンド取付具の取付対象の一例を示す壁面の部分斜視図である。
【図６】同パイプ抱持バンド取付具の使用態様の一例を示す斜視図である。
【発明を実施するための形態】
【００１９】
以下に、本発明の実施の形態について、添付図面にもとづいて説明する。
まず、本パイプ抱持バンド１（以下、取付具１と略す）の概略基本構成について説明する。
【００２０】
本取付具１は、壁面５に固定される台座１０と、台座１０に固定されるバンド取付部材２０とを備えている。バンド取付部材２０は、後部に、台座１０と連結するための取付基部２２を備えている一方、台座１０は、取付基部２２が挿入される上部開口１３と、上部開口１３より挿入された取付基部２２と係合して、取付基部２２を固定する連結部１６とを備えている。
【００２１】
ついで、取付具１の詳細な構成について、一例として図示した図１〜図３の取付具１について説明する。なお、本特許請求の範囲および本明細書においては、建物の壁面５に取り付けた状態を基準として、前後、上下等の方向を規定している。
【００２２】
また、本取付具１は、例えば図５に示した壁面５に取り付けられる。この壁面５は、建築構造物の基礎壁３の外壁面に取り付けられた、薄厚の金属板を加工してなる金属外装材５ａにより形成されている。この金属外装材５ａによる壁面５には、上下方向に延びる凸部６と溝部７とが横方向に交互に等間隔に表れている。
【００２３】
溝部７の裏面は基礎壁３に密着状態にある一方、凸部６の裏面は基礎壁３の外壁面より空間を介して離隔している。その空間は中空とされているが、この中空空間に真空断熱材などの断熱材を配設するようにしてもよい。
【００２４】
台座１０は、このように上下方向に形成された溝部７の底部を介して基礎壁３に固定される。溝部７が略鉛直方向に延びるように金属外装材５ａを取り付ければ、その溝部７に台座１０を取り付けることで、パイプ３５（図６参照）を鉛直方向に沿って適正に取り付けることができる。
【００２５】
本取付具１は、上述したように、台座１０とバンド取付部材２０とを主たる構成部材として有している。これら２部材は、金属材または硬質合成樹脂材などの帯状の板材を加工して形成されている。
【００２６】
バンド取付部材２０は、竪樋などのパイプ３５（図６参照）を抱持するパイプ抱持バンド３０（図６参照）を取り付けるための部材であり、台座１０に固定される取付基部２２と、パイプ抱持バンド３０が固定される、長孔２１ａを有したバンド取付部２１とを備えた構成とされる。
【００２７】
バンド取付部２１は帯板状とされ、長手方向が前後方向を向くように配され、その前部に長孔２１ａが開設されており、後部に取付基部２２が設けられている。なお、パイプ抱持バンド３０の取付態様については、図６の説明とともに後述する。
【００２８】
取付基部２２は、図１に示すように、取付対象とされる壁面５に略平行になるように配される板状の基部片２２ａと、基部片２２ａに略平行で、かつ前方に配されている板状の挟着片２２ｂとを備えている。なお図例のものでは、挟着片２２ｂが基部片２２ａよりもやや長く、挟着片２２ｂの両端は基部片２２ａの両端よりも側方に突出している。また、基部片２２ａと挟着片２２ｂと間には、それらをつなぐ、バンド取付部２１が後方に延びてなる接続片部２２ｃが配されている。
【００２９】
バンド取付部材２０を金属材で形成する場合、基部片２２ａと挟着片２２ｂのそれぞれに貫通孔を設け、その孔にバンド取付部２１を通して溶接で接合すればよい。もちろん、その他の形成方法でもよく、例えば合成樹脂による一体成形によるものであってもよい。
【００３０】
台座１０は、図１および図２に示すように、帯板状の板材を加工してなり、壁面５の溝部７の上下方向に沿って固定される固定具挿通孔１１ａ付きの固定部１１と、側面視で倒コ字状に前方に突出させた取付部１２とを備えている。取付部１２は、固定部１１の内側端部より折曲延出した起立部１２ａと、固定部１１の板体に略平行とした基板部１２ｂとを備えている。
【００３１】
台座１０の幅寸法は溝部７の幅寸法よりも小さい必要があるが、起立部１２ａの高さ寸法（固定部１１からの突出寸法）は、溝部７の深さに関係なく種々の寸法であってもよい。
【００３２】
両起立部１２ａのうちの上側に配される起立部１２ａには上部開口１３が形成されており、基板部１２ｂには上部開口１３と相互連通する縦開口１４が形成されている。この縦開口１４は上部開口１３の幅方向の中央部より下方に延びるように連成された開口とされ、その幅寸法は上部開口１３の幅寸法よりも小さい。
【００３３】
また、縦開口１４は、上部開口１３から、基板部１２ｂの下端よりもやや上方の位置まで延びており、縦開口１４の下端を形成した基板部１２ｂの端面が、バンド取付部材を取り付けるための位置決め部１７（ストッパー）とされる。
【００３４】
この縦開口１４は、取付部１２の基板部１２ｂの一部を後方に切り起こして形成されている。この折曲部１５は、上折曲部１５ａでは前後の奥行寸法が上部では小さく、下方に向かうほど大きくなり、後端１５ｂが後方に向けて降下傾斜した形状とされている一方、下端側の所定高さ範囲の部位では一定の奥行寸法とされている。上折曲部１５ａの傾斜状の後端１５ｂが、バンド取付部材２０の取付基部２２（基部片２２ａ）を装着させるためのガイド部とされる。
【００３５】
折曲部１５のうちの、上折曲部１５ａよりも下方に位置する、一定の奥行寸法の部位が被挟着部１６ａとされる。この被挟着部１６ａの後端には幅方向の外方に折曲されてなる当接部１６ｂが形成されている。この被挟着部１６ａの奥行寸法は、バンド取付部材２０の基部片２２ａと挟着片２２ｂと間の内寸法と略同一とされる。
【００３６】
このような台座１０は、図２（ｂ）に示すような板材を切除、折り曲げすることで形成される。図２（ｂ）において、図中、２点鎖線で囲まれた矩形部Ｃと、その矩形部Ｃに連なる、２点鎖線で囲まれた台形部Ｄとを切除し、台形部Ｄの下端の幅方向の中央より逆Ｔ字状（図中の太線）に切れ込みＥを入れ、折り曲げ部Ｆ（図中の破線）で折り曲げることで形成され得る。
【００３７】
このような台座１０は、図５の壁面５の溝部７に固定部１１を上下方向に並べ、両固定部１１をビス止めすることで、取付部１２（基板部１２ｂ）が略鉛直方向に配されて、設置され得る。図３に示すように、上部開口１３の下方空間においては、被挟着部１６ａよりも上方では、折曲部１５の奥行寸法が小さいため、折曲部１５の後端よりも後方に、下方に向けて傾斜状に窄んだ空間が形成されている。この空間がバンド取付部材２０の基部片２２ａが挿入されるスライド路１８とされる。
【００３８】
バンド取付部材２０の取付基部２２の基部片２２ａを上部開口１３側に配し、接続片部２２ｃを縦開口１４を左右に分けるように配し、かつ挟着片２２ｂを基板部１２ｂの外側に配した状態で、バンド取付部材２０を下方にスライド移動させることで、バンド取付部材２０は、被挟着部１６ａ（連結部１６）が基部片２２ａと挟着片２２ｂとの間に挟着された状態となり、位置決め部１７で位置決めされた位置に到達し、台座１０に連結固定された状態となる。バンド取付部材２０を装着する際には、基部片２２ａを上折曲部１５ａの後端１５ｂでガイドするようにして下方に移動させればよい。
【００３９】
このように、バンド取付部材２０と、壁面５に固定された台座１０との間には挟着関係が形成されて、相互が連結されて固定される。なお本実施形態では、バンド取付部材２０が台座１０の連結部１６を挟着する挟着構造を有しているが、台座１０が挟着構造を有し、バンド取付部材２０の取付基部２２を挟着するような挟着関係であってもよい。また、取付基部２２と連結部１６とが、その他の係合構造にて係合して相互に連結固定される構造であってもよい。
【００４０】
本実施形態のものでは、バンド取付部材２０の取付基部２２（基部片２２ａ、挟着片２２ｂ、接続片部２２ｃ）で台座１０の連結部１６を挟着する固定構造であるため、バンド取付部材２０と台座１０とをしっかりと相互固定させることができる。なお、取付基部２２（基部片２２ａ、挟着片２２ｂ）と連結部１６とは、圧接状態に挟着できるような寸法関係とすることが望ましい。
【００４１】
また、本実施形態の図例のように、挟着片２２ｂの幅寸法を大きくして台座１０の基板部１２ｂと大きな面積で接触させることが挟着関係を安定させるうえで望ましい。基部片２２ａ側においては、連結部１６の後端に基部片２２ａと大きな面積で接触できるように当接部１６ｂを設けておくことが望ましい。
【００４２】
また、台座１０にはバンド取付部材２０の基部片２２ａを装着するために徐々に前後寸法を小さくしたスライド路１８が形成してあるため、バンド取付部材２０を下方に移動しながらスムーズに台座１０に取り付けることができる。スライド路１８としては、図例のもののように、上折曲部１５ａの後端１５ｂが降下傾斜した形状とすることが取り付けやすくするうえで望ましい。もちろん、後端１５ｂを後方に向けて降下傾斜させた上折曲部１５ａはなくてもよいし、後端１５ｂが傾斜せず連結部１６の後端に面一に連なるような形状であってもよい。
【００４３】
さらに、台座１０の連結部１６は、板材よりなる基板部１２ｂの一部を後方に切り起こし加工されてなる折曲部１５を備えた構成であるため、台座１０全体として簡易な構造とすることができ、製造コストの低減化を図ることができる。バンド取付部材２０も同様に板材で形成されているので、製造コストは高くなるおそれはなく、取付具１全体としても安価に生産することができる。
【００４４】
以上に説明した取付具１は、上述したように２部材を簡単に連結でき、特にバンド取付部材２０を固定された台座１０に取り付けやすい取付構造となっているため、２部材を個別に現場に持ち込み、壁面５に対して台座１０、バンド取付部材２０の順に取り付けていくのに適している。もちろん２部材を一体化してから壁面に取り付けることもできる。
【００４５】
また、バンド取付部材２０を台座１０に対して上方よりスライド装着できる構造であるから、上述したように、台座１０の起立部１２ａの固定部１１からの高さは、溝部７の深さに合わせなくてもよい。つまり、起立部１２ａの上部開口１３が溝部７内に配されてもよいし、凸部６の前面よりも前方に突出した位置にあってもよい。
【００４６】
台座１０としては、図２の形状のものに限られず、図４（ａ）（ｂ）に示したような形状のものとしてもよい。この台座１０は、図４（ａ）に示すように、上部開口１３に相当する、２点鎖線で囲まれた矩形部Ｃのみを切除すればよく、さらに図中の太線で切れ込みＥ（太線）を入れ、折り曲げ部Ｆ（破線）で折り曲げることで形成され得る。
【００４７】
台座１０の連結部１６（被挟着部１６ａと当接部１６ｂ）は、図４（ｂ）に示すように折り曲げればよい。この被挟着部１６ａが、バンド取付部材２０（図１参照）の基部片２２ａ（図１参照）と挟着片２２ｂ（図１参照）とにより挟着されて、両部材が連結固定関係が形成される。なお、折曲部１５は、連結部１６と上折曲部１５ａとの間に切れ込みＥを入れているため、上折曲部１５ａを適宜な折り曲げ方で折り曲げることで、上部で前後に広く下方に向けて傾斜状に窄んだスライド路１８（図３参照。図４では不図示）を形成することができる。
【００４８】
図３に示したように固定されたバンド取付部材２０は、図６に示すように、パイプ３５を壁面５へ配設するためのパイプ抱持バンド３０を取り付けるために使用される。図６は、パイプ抱持バンド３０の取り付け例を示す斜視図である。取付具１が壁面５に適切に設置された場合、図６に示すように、前方には、長孔２１ａが略水平方向を向いた状態でバンド取付部２１が突出している。
【００４９】
このバンド取付部材２０に取り付けされるパイプ抱持バンド３０は、図６に示すように、断面略円形のパイプ３５を抱持する一組の抱持部材３１をヒンジ結合してなる。抱持部材３１は、略半円状の抱持部３１ａと、その抱持部３１ａの開放側端部より平板状に延び２つのボルト挿通孔３１ｃを有した取付片部３１ｂとを備えている。２つの取付片部３１ｂを開閉操作することで、両抱持部３１ａでパイプ３５を着脱することができる。
【００５０】
一組の抱持部材３１でパイプ３５を抱持した状態で、２片の取付片部３１ｂで取付具１のバンド取付部２１を挟持し、ボルト挿通孔３１ｃ、長孔２１ａ、ボルト挿通孔３１ｃにボルト３３を通しナット３４止めすることで、パイプ抱持バンド３０が壁面５に対し固定され、同時にパイプ３５も固定配設された状態となる。
【００５１】
以上に説明した実施形態の２例では、バンド取付部材２０の取付基部２２のうち基部片２２ａが基板部１２ｂの後方に配され、挟着片２２ｂが基板部１２ｂの前方に配されるようになって固定関係が形成されるが、取付基部２２の全体が基板部１２ｂの後方で固定される固定関係としたものでもよい。
【００５２】
以上に説明した実施形態では、取付具１が金属外装材５ａの溝部７に取り付けられるようになっているが、これには限られず、凸部６に取り付けられるようにしてもよい。また、凹凸のない平坦に形成された壁面５に取り付けられるようにしてもよい。
【符号の説明】
【００５３】
１          パイプ抱持バンド取付具（取付具）
３          基礎壁
５          外壁（壁面）
５ａ        金属外装材
６          凸部
７          溝部
１０        台座
１１        固定部
１１ａ      固定具挿通孔
１２        取付部
１２ａ      起立部
１２ｂ      基板部
１３        上部開口
１４        縦開口
１５        折曲部
１５ａ      上折曲部
１５ｂ      後端
１６        連結部
１６ａ      被挟着部
１６ｂ      当接部
１７        位置決め部
１８        スライド路
２０        バンド取付部材
２１        バンド取付部
２１ａ      長孔
２２        取付基部
２２ａ      基部片
２２ｂ      挟着片
２２ｃ      接続片部
３０        パイプ抱持バンド
３１        抱持部材
３１ａ      抱持部
３１ｂ      取付片部
３１ｃ      ボルト挿通孔
３３        ボルト
３４        ナット
３５        パイプ
【図１】
2020016112.tif 000003
【図２】
2020016112.tif 000004
【図３】
2020016112.tif 000005
【図４】
2020016112.tif 000006
【図５】
2020016112.tif 000007
【図６】
2020016112.tif 000008